(57)【要約】【課題】  機械的加工を必要とせずに反射部材の表裏を識別する方法を提供する。【解決手段】  測定セルと、測定セルに入射した光を反射する反射部材であって第１の面および第２の面を有する透光性プレートと透光性プレートの第１の面のみに形成された反射層とを有する反射部材と、測定セルから出射した光を検出する光検出器とを備える濃度測定装置において行う反射部材の表裏判別方法であって、第１の面に対して照射したときの反射率と、第２の面に対して照射したときの反射率とが異なる波長である第１の波長の光を第１の面および第２の面に照射して反射率の測定を行う工程と、第１の波長の光を照射するとともに反射率を測定することによって反射部材の表裏を識別する工程とを含む。【選択図】図１
2020106435.tif 000002
【特許請求の範囲】
【請求項１】
被測定流体が流れる流路を有する測定セルと、前記測定セルへの入射光を発する光源と、前記測定セルに入射した光を反射する反射部材と、前記反射部材によって反射され前記測定セルから出射した光を検出する光検出器と、前記光検出器の出力に基づいて前記被測定流体の濃度を演算する演算部とを備え、前記演算部が、前記光検出器の検出信号に基づいて、ランベルト・ベールの法則に従って流体濃度を求めるように構成されている濃度測定装置において行う反射部材の表裏識別方法であって、
前記反射部材は、互いに平行な第１の面および第２の面を有する透光性プレートと、前記透光性プレートの第１の面のみに形成された反射層とを有しており、
前記第１の面および前記第２の面のそれぞれに対して同波長の光を照射したときの反射率を測定する工程であって、前記第１の面に対して照射したときの反射率と、前記第２の面に対して照射したときの反射率とが異なる波長である第１の波長の光を前記第１の面および前記第２の面に照射して反射率の測定を行う工程と、
前記反射部材に対して、前記第１の波長の光を照射するとともに前記反射率を測定することによって、前記反射部材の表裏を識別する工程と
を含む、反射部材の表裏識別方法。
【請求項２】
前記反射部材は、前記透光性プレートとしてのサファイアプレートに、前記反射層としての誘電体多層膜を設けることによって形成されており、前記第１の波長は３００ｎｍ以下である、請求項１に記載の反射部材の表裏識別方法。
【請求項３】
前記第１の波長は２８０ｎｍ以下である、請求項２に記載の反射部材の表裏識別方法。
【請求項４】
前記反射率の測定を行う工程は、前記第１の波長を特定するために、照射する光の波長を少なくとも２８０ｎｍ〜３２０ｎｍの範囲で変化させて光を照射する工程を含む、請求項２または３に記載の反射部材の表裏識別方法。
【請求項５】
被測定流体が流れる流路を有する測定セルと、前記測定セルへの入射光を発する光源と、前記測定セルに入射した光を反射する反射部材と、前記反射部材によって反射され前記測定セルから出射した光を検出する光検出器と、前記光検出器の出力に基づいて前記被測定流体の濃度を演算する演算部とを備え、前記演算部が、前記光検出器の検出信号に基づいて、ランベルト・ベールの法則に従って流体濃度を求めるように構成されている濃度測定装置において行う反射部材の表裏識別方法であって、
前記反射部材は、互いに平行な第１の面および第２の面を有する透光性プレートと、前記透光性プレートの第１の面のみに形成された反射層とを有しており、
前記第１の面に対して第１の波長の光を照射したときの反射率と、第２の面に対して前記第１の波長の光を照射したときの反射率とが異なっており、
前記第１の波長の光を照射するとともに反射率を測定することによって、前記反射部材の表裏を識別する、反射部材の表裏識別方法。
【発明の詳細な説明】
【技術分野】
【０００１】
本発明は、反射部材の表裏識別方法に関し、特に、反射型の濃度測定装置において用いられる、片面に反射層が形成された透光性プレートから形成される反射部材の表裏識別方法に関する。
【背景技術】
【０００２】
従来、有機金属（ＭＯ）等の液体材料や固体材料から形成された原料ガスを半導体製造装置へと供給するガス供給ラインに組み込まれ、ガス供給ラインを流れるガスの濃度を測定するように構成された濃度測定装置（いわゆるインライン式濃度測定装置）が知られている。
【０００３】
この種の濃度測定装置では、被測定流体が流れる測定セルに、光入射窓を介して光源から所定波長の光を入射させ、測定セル内を通過した透過光を受光素子で受光することにより吸光度を測定する。また、測定された吸光度から、ランベルト・ベールの法則に従って被測定流体の濃度を求めることができる（例えば、特許文献１または２）。
【０００４】
なお、本明細書において、内部に導入された被測定流体の濃度を検出するために用いられる種々の透過光検出構造を広く、測定セルと呼ぶことにする。測定セルには、ガス供給ラインから分岐して配置されたセル構造だけでなく、特許文献１または２に示されるようなガス供給ラインの途中に設けられたインライン式の透過光検出構造も含まれる。
【０００５】
特許文献２には、測定セルの端部に反射部材を設け、測定セル内を往復した光の吸光度に基づいて測定セル内を流れる測定流体の濃度を検出する、反射型の濃度測定装置が開示されている。反射部材を用いれば、装置の小型化を実現しながら、測定セルを通過する光の光路長を長くして測定精度を向上させることが可能である。
【先行技術文献】
【特許文献】
【０００６】
【特許文献１】特開２０１４−２１９２９４号公報
【特許文献２】国際公開第２０１８／０２１３１１号
【特許文献３】特開２０１８−２５４９９号公報
【発明の概要】
【発明が解決しようとする課題】
【０００７】
反射型の濃度測定装置において、反射部材としては、例えば、反射層としてのアルミニウム膜や誘電体多層膜が片面に設けられた透光性プレート（例えばサファイアプレートや石英プレート）が用いられている。アルミニウム膜や誘電体多層膜によって形成された反射層は、有機金属ガスの濃度を測定するために好適に用いられる紫外光を高い反射率で反射することができる。
【０００８】
ただし、インライン式の濃度測定装置の測定セルに反射部材を配置する場合、アルミニウム膜や誘電体多層膜で形成される反射層を、測定セルの流路に接するように配置すると、ガスを汚染するおそれがある。このため、反射部材を用いるときには、測定セルの流路側に反射層が配置されないように、表裏を間違えずに測定セルに取り付けることが求められる。
【０００９】
これに対して、特許文献２には、表面に凸部や凹部を設けたり、あるいは、側面に平坦部を設けたりして、表裏識別構造を反射部材に設ける技術が記載されている。このような表裏識別構造を設けることによって、反射部材の表裏を間違えて取り付けることは防止される。
【００１０】
しかしながら、上記のような表裏識別構造を設けるためには、反射部材に機械的な加工を施すことが必要になり、また、反射部材を支持する測定セルの凹部にも対応する構造を設ける必要が生じるので、手間やコストがかかるという問題がある。したがって、反射部材に付加的な機械的加工を行うことなく、反射部材の表裏を識別でき、表裏を間違えずに測定セルに取り付ける方法があれば有利である。
【００１１】
本発明は、上記課題を鑑みてなされたものであり、付加的な機械的加工を必要とせずに濃度測定装置における反射部材の表裏を識別する方法を提供することをその主たる目的とする。
【課題を解決するための手段】
【００１２】
本発明の実施形態による反射部材の表裏識別方法は、被測定流体が流れる流路を有する測定セルと、前記測定セルへの入射光を発する光源と、前記測定セルに入射した光を反射する反射部材と、前記反射部材によって反射され前記測定セルから出射した光を検出する光検出器と、前記光検出器の出力に基づいて前記被測定流体の濃度を演算する演算部とを備え、前記演算部が、前記光検出器の検出信号に基づいて、ランベルト・ベールの法則に基づいて流体濃度を求めるように構成されている濃度測定装置において行う反射部材の表裏識別方法であって、前記反射部材は、互いに平行な第１の面および第２の面を有する透光性プレートと、前記透光性プレートの第１の面のみに形成された反射層とを有しており、前記第１の面および前記第２の面のそれぞれに対して同波長の光を照射したときの反射率を測定する工程であって、前記第１の面および前記第２の面のそれぞれに対して同波長の光を照射したときの反射率を測定する工程であって、前記第１の面に対して照射したときの反射率と、前記第２の面に対して照射したときの反射率とが異なる波長である第１の波長の光を前記第１の面および前記第２の面に照射して反射率の測定を行う工程と、前記反射部材に対して、特定された前記第１の波長の光を照射するとともに前記反射率を測定することによって、前記反射部材の表裏を識別する工程とを含む。
【００１３】
ある実施形態において、上記の表裏識別方法は、前記第１の波長が特定できるまで、波長を変化させて第１の面および第２の面に同波長の光を照射して反射率の測定を行う工程を含む。
【００１４】
ある実施形態において、前記反射部材は、前記透光性プレートとしてのサファイアプレートに、前記反射層としての誘電体多層膜を設けることによって形成されており、前記第１の波長は３００ｎｍ以下である。
【００１５】
ある実施形態において、前記第１の波長は２８０ｎｍ以下である。
【００１６】
ある実施形態において、前記反射率の測定を行う工程は、前記第１の波長を特定するために、照射する光の波長を少なくとも２８０ｎｍ〜３２０ｎｍの範囲で変化させて光を照射する工程を含む。
【００１７】
あるいは、本発明の他の実施形態による反射部材の表裏識別方法は、被測定流体が流れる流路を有する測定セルと、前記測定セルへの入射光を発する光源と、前記測定セルに入射した光を反射する反射部材と、前記反射部材によって反射され前記測定セルから出射した光を検出する光検出器と、前記光検出器の出力に基づいて前記被測定流体の濃度を演算する演算部とを備え、前記演算部が、前記光検出器の検出信号に基づいて、ランベルト・ベールの法則に基づいて流体濃度を求めるように構成されている濃度測定装置において行う反射部材の表裏識別方法であって、前記反射部材は、互いに平行な第１の面および第２の面を有する透光性プレートと、前記透光性プレートの第１の面のみに形成された反射層とを有しており、前記第１の面に対して第１の波長の光を照射したときの反射率と、第２の面に対して前記第１の波長の光を照射したときの反射率とが異なっており、前記第１の波長の光を照射するとともに反射率を測定することによって、前記反射部材の表裏を識別する。
【発明の効果】
【００１８】
本発明の実施形態によれば、反射型の濃度測定装置において、片面に反射層が形成された反射部材の表裏を識別することができ、表裏を間違えて取り付けた状態で使用することを防止することができる。
【図面の簡単な説明】
【００１９】
【図１】本発明の実施形態において用いられる濃度測定装置の全体構成を示す模式図である。
【図２】図１に示した濃度測定装置が備える測定セルの詳細構成を示す断面図である。
【図３】サファイアプレートの片面に反射層が形成された反射部材における入射光および反射光を示す図であり、（ａ）および（ｂ）は、反射層としての誘電体多層膜が入射光反対側および入射光側に配置されている図を示し、（ｃ）および（ｄ）は、反射層としてのアルミニウム膜が入射光反対側および入射光側に配置されている図を示す。
【図４】図３（ａ）〜（ｄ）に示した各例について、波長２６５ｎｍおよび３６５ｎｍの光を照射したときの反射率を示す表である。
【図５】入射光波長と反射部材の反射率との関係を示すグラフであり、（ａ）は誘電体多層膜が入射光側に配置されている場合のグラフであり、（ｂ）は誘電体多層膜が入射光の反対側に配置されている場合のグラフである。
【図６】二芯式の反射型濃度測定装置を示す模式図である。
【発明を実施するための形態】
【００２０】
以下、図面を参照しながら本発明の実施形態を説明するが、本発明は以下の実施形態に限定されるものではない。
【００２１】
図１は、本発明の実施形態で用いられる濃度測定装置１００の全体構成を示す模式図である。濃度測定装置１００は、ガス供給ラインに組み込まれる測定セル４を有する高温ガスユニット５０と、高温ガスユニット５０と離間して配置され光源１および演算部８などを含む電気ユニット５２とを備えている。高温ガスユニット５０と電気ユニット５２とは、光ファイバ１０ａおよびセンサケーブル１０ｂによって接続されている。
【００２２】
高温ガスユニット５０は、被測定流体の種類によって例えば１００℃〜１５０℃程度にまで加熱される可能性があるが、これと離間する電気ユニット５２は典型的には室温（クリーンルーム雰囲気等）に維持されている。被測定流体としては、例えば、トリメチルガリウム（ＴＭＧａ）やトリメチルアルミニウム（ＴＭＡｌ）等の有機金属材料を含んだプロセスガスが挙げられる。なお、ここでは「高温ガスユニット」としているが、必ずしも高温になるとは限らず、常温（室温）や常温以下のガスを用いる場合は、高温にならない（加熱しない）状態で使用する場合もある。
【００２３】
また、図示する態様において、電気ユニット５２には、デバイスネット通信などによって、外部制御装置５４が接続されている。外部制御装置５４は、濃度測定装置１００に動作制御信号を送信したり、濃度測定装置１００から測定濃度信号を受信したりすることができる。
【００２４】
高温ガスユニット５０には、被測定流体の流入口４ａ、流出口４ｂおよび長手方向に延びる流路４ｃを有し、流路４ｃに接する透光性の窓部（透光性プレート）３が設けられた測定セル４が設けられている。また、測定セル４には、入射した光を反射させるための反射部材５が設けられている。本明細書において、光とは、可視光線のみならず、少なくとも赤外線、紫外線を含み、任意の波長の電磁波を含み得る。また、透光性とは、測定セル４に入射させる前記の光に対する内部透過率が濃度測定を行い得る程度に十分に高いことを意味する。
【００２５】
測定セル４の窓部３は、窓押さえ部材３０によってセル本体４０に固定されており、窓押さえ部材３０には、光ファイバ１０ａが接続されたコリメータ６が取り付けられている。コリメータ６は、コリメータレンズ６ａを有しており、光源１からの光を測定セル４に平行光として入射させることができ、また、コリメータ６は、反射部材５からの反射光を受光することができる。コリメータ６は、測定セル４を流れる被測定対象のガスが高温のときにも破損なく高精度に濃度測定を行えるように設計されている。
【００２６】
また、本実施形態では、高温ガスユニット５０において、測定セル４内を流れる被測定流体の圧力を検出するための圧力センサ２０が設けられている。圧力センサ２０は、本実施形態では、測定セル４の流出口４ｂの下流側に配置されているが、測定セル４の上流側に設けられていてもよいし、測定セル４の流路４ｃの途中に設けられていてもよい。圧力センサ２０は、測定セル４内の流路４ｃに存在する流体の圧力を測定できる限り、任意の態様を有していてよく、公知の種々の圧力センサを利用することができる。また、測定セル４には、被測定流体の温度を測定するための温度センサ１１（測温抵抗体、サーミスタ、熱電対など）が設けられている。圧力センサ２０および温度センサ１１の出力は、センサケーブル１０ｂを介して電気ユニット５２に入力される。温度センサ１１は、本実施形態では流出口４ｂの近傍に配置されているが、流路４ｃ内に存在する流体の温度が測定できれば良く、流入口４ａ付近、あるいは、圧力センサ２０の近傍や窓部３に設置されていても良い。
【００２７】
電気ユニット５２には、測定セル４内に入射させる光を発生する光源１と、測定セル４から出射した光を受光する測定光検出器７と、測定光検出器７から出力される、受光した光の強度に応じた検出信号に基づいて被測定流体の濃度を演算するように構成された演算部８と、光源１からの参照光を受光する参照光検出器９とが設けられている。
【００２８】
本実施形態では、測定光検出器７と参照光検出器９とがビームスプリッタ１２を挟んで対向して配置されている。ビームスプリッタ１２は、光源１からの光の一部を参照光検出器９に入射させ、また、測定セル４からの検出光を測定光検出器７に入射させる。測定光検出器７および参照光検出器９を構成する受光素子としては、フォトダイオードやフォトトランジスタが好適に用いられる。
【００２９】
演算部８は、例えば、回路基板ＰＣＢ上に設けられたプロセッサやメモリなどによって構成され、入力信号に基づいて所定の演算を実行するコンピュータプログラムを含み、ハードウェアとソフトウェアとの組み合わせによって実現され得る。
【００３０】
光源１は、本実施形態では、２つの発光素子１３Ａ、１３Ｂを用いて構成されており、発光素子１３Ａ、１３Ｂは互いに異なる波長の紫外光を発するＬＥＤである。発光素子１３Ａ、１３Ｂには、発振回路を用いて異なる周波数の駆動電流が流され、周波数解析（例えば、高速フーリエ変換やウェーブレット変換）を行うことによって、測定光検出器７が検出した検出信号から、各波長成分に対応した光の強度を測定することができる。発光素子１３Ａ、１３Ｂが発する光は、ＷＤＭ（波長分割多重方式）の合波器１４によって合成されて測定セル４に入射される。発光素子１３Ａの光の波長は例えば３００ｎｍであり、発光素子１３Ｂの光の波長は例えば３６５ｎｍである。
【００３１】
発光素子１３Ａ、１３Ｂとしては、ＬＥＤ以外の発光素子、例えばＬＤ（レーザダイオード）を用いることもできる。また、複数の異なる波長の合波光を光源に用いる代わりに、単一波長の光源を利用することもでき、この場合、合波器や周波数解析回路は省略することができる。発光素子は、３つ以上設けられていてもよいし、選択された任意の発光素子のみを用いて入射光を生成するように構成されていてもよい。また、合波器１４には図示するように測温抵抗体１４ａが取り付けられていてもよい。さらに、発光素子が発する光は、紫外光にかぎらず、可視光や赤外光であっても良い。
【００３２】
濃度測定装置１００において、光源１と測定セル４とは、導光部材である光ファイバ１０ａによって接続されている。光源１からの光は、光ファイバ１０ａによって測定セル４の窓部３に導光される。また、光ファイバ１０ａは、反射部材５によって反射された光を測定光検出器７に導光する機能も兼ね備えている。光ファイバ１０ａは、入射光用の光ファイバと検出光用の光ファイバとを含むものであってもよいし、光ファイババンドルの態様で提供されるものであってもよい。また、別の態様において、入射光を測定セル４に導光するための光ファイバと、測定セル４から出射した光を導光するための光ファイバとは、別個に設けられていてもよい（図６参照）。
【００３３】
図２は、測定セル４のより詳細な構成を示す断面図である。測定セル４は、ステンレス製のセル本体（セルブロック）４０において形成されており、セル本体４０には、ガスケット等を介して後段ブロック４５が接続されている。後段ブロック４５の流路には圧力センサ２０が取り付けられている。
【００３４】
測定セル４の流入口４ａと流出口４ｂとは流路４ｃの両側（図面における流路４ｃの右側と左側）に配置され、ガス供給ラインに組み込まれたときに、濃度測定装置１００は全体として水平方向にガスを流すように構成されているのに対して、流路４ｃは、ガス供給ラインにおける全体の流れ方向に直交する方向に延びている。本明細書では、このような構成を、縦型の測定セル４と呼んでいる。縦型の測定セル４を用いれば、ガス供給ラインに組み込まれたときに省スペース化を実現できるとともに、メンテナンスがしやすいという利点が得られる。なお、図示する測定セル４では、流入口４ａが反射部材５の近傍に配置され、流出口４ｂが窓部３の近傍に配置されているが、他の態様において、流入口４ａが窓部３の近傍に配置され、流出口４ｂが反射部材５の近傍に配置されていてもよく、また流路４ｃは必ずしも全体の流れ方向に対して直交する方向に延びなければならないと言うことはない。
【００３５】
窓部３としては、紫外光等の濃度測定に用いる検出光に対して耐性および高透過率を有し、機械的・化学的に安定なサファイアが好適に用いられるが、他の安定な素材、例えば石英ガラスを用いることもできる。測定セル４のセル本体４０（流路形成部）は例えばＳＵＳ３１６Ｌ製であってよいし、流れる被測定流体によっては、ＳＵＳ３１６Ｌのようなステンレス鋼以外の金属や非金属、非鉄金属材料等を用いても良い。窓部３は、本実施形態では、ガスケット１５を介して、窓押さえ部材３０によってセル本体４０の凹部に固定されている。
【００３６】
また、測定セルの窓部３の反対側の端部に配置された反射部材５は、押さえ部材３２によって、ガスケット１６を介して、セル本体４０の下面に設けられた取り付け凹部の支持面に固定されている。反射部材５の反射面は、入射光の進行方向または流路の中心軸４ｘに対して垂直になるように設けられており、反射光は入射光と実質的に同じ光路を通って窓部３へと反射される。
【００３７】
本実施形態において、反射部材５としては、サファイアプレートの片面に、反射層としての誘電体多層膜が形成されたものが用いられている。誘電体多層膜を用いれば、特定波長域の光（例えば近紫外線）を選択的に反射させることができる。誘電体多層膜は、屈折率の異なる複数の光学被膜の積層体（例えば、高屈折率薄膜と低屈折率薄膜との積層体）によって構成されるものであり、各層の厚さや屈折率を適宜選択することによって、特定の波長の光を反射したり透過させたりすることができる。
【００３８】
また、誘電体多層膜は、任意の割合で光を反射させることができる。そこで、入射した光を１００％反射するのではなく、一部（例えば１０％）は透過するようにし、反射部材５の下部に設置した光検出器または光検出器に接続された光学機器によって、透過した光を受光することもできる。反射部材５を透過した光は参照光として利用することができ、上記の光検出器を図１に示した参照光検出器９の代替とすることも可能である。
【００３９】
反射部材５は、例えば、直径１０〜２０ｍｍ（より具体的には直径約１６ｍｍ）、厚さ１．０〜２．０ｍｍ（より具体的には厚さ約１．８ｍｍ）の寸法を有するサファイア製の円形プレートの片面に、誘電体多層膜を形成することによって作製される。誘電体多層膜は、例えば、ＴｉＯ2、Ｔａ2Ｏ5、Ａｌ2Ｏ3、ＳｉＯ2、ＭｇＦ2などの酸化物やフッ化物から形成され、反射波長に対応する屈折率および厚さを有するように高屈折率薄膜と低屈折率薄膜とを蒸着などにより交互に積層することで形成される。誘電体多層膜の厚さは層数（例えば数層から数十層）によって異なるが、例えば３００ｎｍ〜５μｍである。
【００４０】
以上に説明した測定セル４において、測定セル４内を往復して伝播する光の光路長は、窓部３の表面と反射部材５の表面との距離の２倍によって規定することができる。濃度測定装置１００において、測定セル４に入射され、その後、反射部材５によって反射された光は、測定セル４内の流路４ｃに存在するガスによって、ガスの濃度に依存した大きさで吸収される。そして、演算部８（図１参照）は、測定光検出器７からの検出信号を周波数解析することによって、当該吸収波長λでの吸光度Ａλを測定することができ、さらに、以下の式（１）に示すランベルト・ベールの法則に基づいて、吸光度Ａλからガス濃度Ｃを算出することができる。
Ａλ＝−ｌｏｇ10（Ｉ／Ｉ0）＝αＬＣ      ・・・（１）
【００４１】
上記の式（１）において、Ｉ0は測定セルに入射する入射光の強度、Ｉは測定セル内のガス中を通過した光の強度、αはモル吸光係数（ｍ2／ｍｏｌ）、Ｌは測定セルの光路長（ｍ）、Ｃは濃度（ｍｏｌ／ｍ3）である。モル吸光係数αは物質によって決まる係数である。
【００４２】
なお、上記式における入射光強度Ｉ0については、測定セル４内に吸光性のガスが存在しないとき（例えば、紫外光を吸収しないパージガスが充満しているときや、真空に引かれているとき）に測定光検出器７によって検出された光の強度を入射光強度Ｉ0と見なしてよい。
【００４３】
測定セル４の光路長Ｌは、上記のように、窓部３と反射部材５との距離の２倍として規定することができるので、光入射窓と光出射窓とを測定セルの両端部に備える従来の濃度測定装置に比べて、２倍の光路長を得ることができる。これにより、小型化したにも関わらず、測定精度を向上させることができる。また、濃度測定装置１００では、測定セル４の片側に設けた１つの窓部３を介して１つの光学機器のみを用いて光入射および受光を行うので、部品点数を削減することができる。
【００４４】
さらに、濃度測定装置１００では、圧力センサ２０が設けられており、測定セル４内のガスの圧力を測定することができる。したがって、圧力センサ２０からの出力に基づいて、光検出器の出力によって測定された吸光度を所定圧力（例えば、１気圧）のときの吸光度に補正することができる。そして、補正した吸光度に基づいて、特許文献３に記載の濃度測定装置と同様に、ランベルト・ベールの法則から、被測定流体の濃度を演算により求めることができる。このように、演算部８が、測定光検出器７および圧力センサ２０を用いて被測定流体の濃度を演算するので、濃度測定をより精度よく行うことができる。なお、測定セル４を流れるガスの温度を測定する温度センサ１１（図１参照）を設けているので、温度による補正をさらに行って濃度検出を行うこともできる。
【００４５】
以下、上記の濃度測定装置１００において用いられる、誘電体多層膜が片面に設けられた反射部材５の表裏を識別する方法を説明する。
【００４６】
図３（ａ）および（ｂ）は、サファイアプレート（透光性プレート）の片面に誘電体多層膜が形成された反射部材において、サファイアプレート５ａ１の入射光側と反対側の面に誘電体多層膜５ｂ１が形成されている場合（図３（ａ））と、サファイアプレート５ａ２の入射光側の面に誘電体多層膜５ｂ２が形成されている場合（図３（ｂ））とを示す図である。
【００４７】
図３（ａ）に示すように、反対側の面に誘電体多層膜５ｂ１が設けられている場合、サファイアプレート５ａ１を透過した入射光が誘電体多層膜５ｂ１によって反射される。一方、図３（ｂ）に示すように、光入射側の面に誘電体多層膜５ｂ２が設けられている場合、入射光は、サファイアプレート５ａ２を透過せずに誘電体多層膜５ｂ２によって直接的に反射される。
【００４８】
また、図３（ｃ）および（ｄ）は、サファイアプレートの片面にアルミニウム膜が形成された反射部材において、サファイアプレート５ａ１の入射光側と反対側の面にアルミニウム膜５ｃ１が形成されている場合（図３（ｃ））と、サファイアプレート５ａ２の入射光側の面にアルミニウム膜５ｃ２が形成されている場合（図３（ｄ））とを示す図である。
【００４９】
図４は、図３（ａ）〜（ｄ）に示したそれぞれの場合において、入射光波長を２６５ｎｍまたは３６５ｎｍとしたときの、反射率（％）を示す表である。反射率（％）は、例えば、濃度測定装置１００において、測定セル４の内部に吸光性のガスが存在しない状態で、光源１から２６５ｎｍまたは３６５ｎｍの紫外光を入射させたときの、測定光検出器７の出力と参照光検出器９の出力とから求めることができる。
【００５０】
図４からわかるように、サファイアプレート５ａ１の入射光側と反対側の面に誘電体多層膜５ｂ１を設けた場合（ａ）において、２６５ｎｍの光の反射率は１８％と比較的小さいのに対して、３６５ｎｍの光の反射率は８９％と比較的大きくなっている。
【００５１】
一方、サファイアプレート５ａ２の入射光側の面に誘電体多層膜５ｂ２を設けた場合（ｂ）において、２６５ｎｍの光の反射率も、３６５ｎｍの光の反射率も、１００％となっており、いずれの波長であっても入射光が完全に反射されることがわかる。
【００５２】
また、サファイアプレート５ａ１の入射光側と反対側の面にアルミニウム膜５ｃ１設けた場合（ｃ）、および、サファイアプレート５ａ２の入射光側の面にアルミニウム膜５ｃ２を設けた場合（ｄ）において、２６５ｎｍの光の反射率は９０％および９１％と比較的大きく、また、３６５ｎｍの光の反射率も８４％および８９％と比較的大きくなっている。
【００５３】
以上の結果から、サファイアプレート５ａ１、５ａ２の片面に誘電体多層膜５ｂ１、５ｂ２を設けた場合において、２６５ｎｍの波長の紫外光を照射して反射率を測定することによって、反射部材の表裏を識別することができることがわかる。また、誘電体多層膜５ｂ１、５ｂ２を設けた場合において、３６５ｎｍの波長の光を照射して反射率を測定したときは、反射部材の表裏を識別することが容易ではないことがわかる。さらに、反射層としてアルミニウム膜５ｃ１、５ｃ２を設けた場合には、２６５ｎｍおよび３６５ｎｍのいずれの波長の光を照射したときにも、反射率に基づいて表裏を識別することは困難であることがわかる。
【００５４】
図５（ａ）および（ｂ）は、誘電体多層膜５ｂ１がサファイアプレート５ａ１の入射光側の反対側の面（裏面と呼ぶことがある）に形成されている場合（図３（ａ）対応）と、誘電体多層膜５ｂ２がサファイアプレート５ａ２の入射光側の面（表面と呼ぶことがある）に形成されている場合（図３（ｂ）対応）とのそれぞれにおける、入射光波長と反射率との関係を示すグラフである。
【００５５】
図５（ａ）および（ｂ）から、例えば３００ｎｍ以下の波長域の光を入射させたときには、誘電体多層膜５ｂ１、５ｂ２が表面側に存在するか裏面側に存在するかによって、反射率が大きく異なることがわかる。なかでも２９０ｎｍ以下、特に２８０ｎｍ以下の波長では、反射率の差が非常に大きいものになることがわかる。一方、３２０ｎｍ〜４５０ｎｍの光を入射させたときには、反射率の差は小さいものであることがわかる。したがって、反射率の測定によって反射部材の表裏を識別するためには、特定の波長域（例えば２３０ｎｍ以上３００ｎｍ以下）の光を入射させることが必要であることがわかる。なお、上記の図５（ａ）および（ｂ）のグラフの結果を得た反射部材と、図４の表の結果を得た反射部材とは異なるものであり、このために、反射率の大きさは多少異なるものとなっている。
【００５６】
このような表裏で反射率が異なる波長を特定するために、本実施形態では、透光性プレートの一方の面（第１の面と呼ぶことがある）のみに誘電体多層膜が形成されている場合において、上記一方の面と、他方の面（第２の面と呼ぶことがある）のそれぞれに対して同じ波長の光を照射したときの反射率を測定するようにしている。そして、この反射率の測定は、一方の面に対して光を照射したときの反射率と、他方の面に対して光を照射したときの反射率とが異なる波長が特定できるまで、波長を変化させて行うようにしている。この工程は、例えば、図５（ａ）に示したように、２３０ｎｍ〜４５０ｎｍの範囲で、少なくとも２８０ｎｍ〜３２０ｎｍの範囲を含むようにして、連続的にまたは離散的に波長を変化させながら、第１の面および第２の面のそれぞれに光を照射して反射率の測定を行うことによって実行してもよい。
【００５７】
そして、反射率に有意な差が生じる波長が特定できたときには、いずれの側に誘電体多層膜が形成されているか不明な反射部材に対して、上記の特定された波長の光を照射して反射率を測定することによって、反射部材の表裏を識別することができる。
【００５８】
以上のようにして、特定波長の光を照射したときの反射率を測定することによって、透光性プレートのいずれの面に誘電体多層膜が形成されているのかを判別することができ、したがって、図１、図２に示した濃度測定装置１００に反射部材５を組み込んだ後にも、光の照射および反射光の測定によってその表裏を識別することができる。このため、表裏を間違えて取り付けた結果、流路側に誘電体多層膜が配置されたまま使用されることが防止され、測定セルを流れるガスの汚染を防ぐことができる。
【００５９】
また、上記の第１の面に照射したときの反射率と第２の面に照射したときの反射率とが異なる光の波長または波長帯が予め判っている場合には、単に、当該波長の光を照射するとともに反射率を測定することによって、反射部材の表裏を識別することができる。表裏識別のために用いる光を発する光源は、濃度測定装置における濃度測定用の光源に含まれるものであってもよいし、別途設けられたものであってもよい。
【００６０】
以上、本発明の実施形態による濃度測定装置を説明したが、本発明は、上記実施形態に限定解釈されるものではなく、本発明の趣旨を逸脱しない範囲において種々の変更が可能である。
【００６１】
例えば、上記には図１に示したように、入射光と出射光とを１本の光ファイバ１０ａで導光する装置を用いる態様を説明したが、二芯式の濃度測定装置を用いることも好適である。このような二芯式の濃度測定装置は、例えば、特許文献３（図８等）に記載されている。
【００６２】
図６に示すように、二芯式の濃度測定装置では、測定セル４と、電気ユニット５２とが、入射光ファイバ１０ｃと出射光ファイバ１０ｄとによって接続されている（ここでは、測定セル４に設けた温度センサおよびこれに接続されるセンサケーブル等は省略している）。発光素子１３Ａ、１３Ｂからの光は、入射用ファイバ１０ｃによって導光され、窓部３を介して測定セル４に入射される。また、反射部材５によって反射され測定セル４から出射した測定光は、出射光ファイバ１０ｄによって導光され、測定光検出器７で受光される。このように入射光と出射光とを別経路で導光することによって、迷光の影響を低減し得る。また、図６に示すように、窓部３の窓面法線方向をコリメータの光軸方向から例えば１〜５°程度傾けて配置することによって、迷光の発生を低減し得る。また、測定セル４のガス流入口とガス流出口とは、図１に示した態様とは異なり、測定セル４の同じ側面に設けられていてもよい。
【産業上の利用可能性】
【００６３】
本発明の実施形態にかかる表裏識別方法は、例えば、反射型の濃度測定装置に組み込まれた反射部材の表裏を識別するために好適に利用される。
【符号の説明】
【００６４】
１  光源
３  窓部
４  測定セル
４ａ  流入口
４ｂ  流出口
４ｃ  流路
５  反射部材
５ａ１、５ａ２  サファイアプレート
５ｂ１、５ｂ２  誘電体多層膜
５ｃ１、５ｃ２  アルミニウム膜
６  コリメータ
７  測定光検出器
８  演算部
９  参照光検出器
１０ａ  光ファイバ
１０ｂ  センサケーブル
１１  温度センサ
１００  濃度測定装置
【図１】
2020106435.tif 000003
【図２】
2020106435.tif 000004
【図３】
2020106435.tif 000005
【図４】
2020106435.tif 000006
【図５】
2020106435.tif 000007
【図６】
2020106435.tif 000008